(57)【要約】      （修正有）【課題】傾斜用の部材を使用することなく傾斜状態に保持することが可能であり、かつ、そのまま床面に置いた場合であっても、床面に対して動きにくく、さらに、保管のスペースとしては小さなスペースで足りる折り畳み式水切りを提供する。【解決手段】折り畳み式水切りは相互に折り畳み可能な３個の水切り構成片１１０、１２０、１３０からなり、第１の水切り構成片１１０と第３の水切り構成片１３０の面上にはそれぞれ脚部１１３、１３３が形成されている。第３の水切り構成片１３０に形成されている脚部１３３は、３個の水切り構成片１１０、１２０、１３０を折り畳んだときに、第１の水切り構成片１１０に形成されている脚部１１３と干渉しないような位置にある。【選択図】図２
0003155535.tif 000002
【実用新案登録請求の範囲】
【請求項１】
１個の第１の水切り構成片、Ｎ個の第２の水切り構成片（Ｎは奇数）及び１個の第３の水切り構成片からなる折り畳み式水切りであって、
前記第１乃至第３の水切り構成片の各々は第一の方向に延びる一対の側縁部を有しており、
前記第１の水切り構成片、前記第２の水切り構成片及び前記第３の水切り構成片はこの順番に配列され、かつ、各水切り構成片はその一方の側縁部において隣接する水切り構成片の側縁部と１８０度折り曲げ可能に接続されており、
前記第１の水切り構成片の前記第一の方向における一方の端部には前記第１の水切り構成片が形成する面と垂直方向に延びる第一の脚部が形成されており、
前記第３の水切り構成片の前記第一の方向における一方の端部には前記第３の水切り構成片が形成する面と垂直方向に、かつ、前記第一の脚部が延びる方向と同一の方向に延びる第三の脚部が形成されており、
前記第三の脚部は、前記各水切り構成片を相互に折り畳んだときに、前記第１の水切り構成片の前記第一の方向における端部及び前記第２の水切り構成片の前記第一の方向における端部と干渉しない位置に形成されていることを特徴とする折り畳み式水切り。
【請求項２】
前記第一の方向に延びる一対の側縁部を有する第４の水切り構成片をさらに備えており、
前記第４の水切り構成片はその一方の側縁部において前記第３の水切り構成片の他方の側縁部と１８０度折り曲げ可能に接続しており、
前記第４の水切り構成片の前記第一の方向における一方の端部には前記第４の水切り構成片が形成する面と垂直方向に、かつ、前記第一の脚部が延びる方向と同一の方向に延びる第四の脚部が形成されていることを特徴とする請求項１に記載の折り畳み式水切り。
【請求項３】
前記第一の脚部及び前記第三の脚部は取り外し可能であることを特徴とする請求項１または２に記載の折り畳み式水切り。
【請求項４】
軟質の合成樹脂製であることを特徴とする請求項１乃至３の何れか一項に記載の折り畳み式水切り。
【請求項５】
形状記憶樹脂からなり、所定の条件下において、前記各水切り構成片が折り畳まれた状態になることを特徴とする請求項１乃至３の何れか一項に記載の折り畳み式水切り。
【考案の詳細な説明】
【技術分野】
【０００１】
本考案は折り畳み式水切りに関する。
【背景技術】
【０００２】
折り畳み式水切りの一例としては、特開平５−２４５０５４号公報に記載されたものがある。
【０００３】
上記公報に記載された折り畳み式水切りは、ヒンジ部材により相互に連結された３枚の板状部材からなる。この折り畳み式水切りによれば、各板状部材を折り曲げることにより、シンクの形状及びサイズに合わせて使用することが可能である。
【考案の概要】
【考案が解決しようとする課題】
【０００４】
上記の折り畳み式水切りには、この折り畳み式水切りをシンクの底面上に置いて使用する場合、折り畳み式水切りの面が水平となるため、水切り性能が悪くなるという問題点があった。
【０００５】
この問題点の解決策の一つとしては、例えば、折り畳み式水切りの下面に脚部を設けることがある。水切りの下面に脚部を設けることにより、水切りの上面が傾斜するため、水切りの上面にたまった水は流れ落ち、水切り性能を向上させることが可能である。
【０００６】
しかしながら、折り畳み式水切りの下面に脚部を設けると、折り畳み式水切りを折り畳んだときに、脚部同士が相互に干渉することとなり、水切りをコンパクトに折り畳むことが不可能になるという新たな問題を生じる。
【０００７】
本考案はこのような問題点に鑑みてなされたものであり、折り畳み式水切りの下面に脚部を設けたとしても、コンパクトに折り畳むことが可能な折り畳み式水切りを提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００９】
上記の目的を達成するため、本考案は、１個の第１の水切り構成片（１１０）、Ｎ個の第２の水切り構成片（１２０）（Ｎは奇数）及び１個の第３の水切り構成片（１３０）からなる折り畳み式水切り（１００）であって、前記第１乃至第３の水切り構成片（１１０、１２０、１３０）の各々は第一の方向（Ａ）に延びる一対の側縁部（１１１ａ、１１１ｂ、１２１ａ、１２１ｂ、１３１ａ、１３１ｂ）を有しており、前記第１の水切り構成片（１１０）、前記第２の水切り構成片（１２０）及び前記第３の水切り構成片（１３０）はこの順番に配列され、かつ、各水切り構成片（１１０、１２０、１３０）はその一方の側縁部において隣接する水切り構成片の側縁部と１８０度折り曲げ可能に接続されており、前記第１の水切り構成片（１１０）の前記第一の方向（Ａ）における一方の端部（１１２）には前記第１の水切り構成片（１１０）が形成する面と垂直方向に延びる第一の脚部（１１３）が形成されており、前記第３の水切り構成片（１３０）の前記第一の方向（Ａ）における一方の端部（１３２）には前記第３の水切り構成片（１３０）が形成する面と垂直方向に、かつ、前記第一の脚部（１１３）が延びる方向と同一の方向（Ａ）に延びる第三の脚部（２４３）が形成されており、前記第三の脚部（２４３）は、前記各水切り構成片（１１０、１２０、１３０）を相互に折り畳んだときに、前記第１の水切り構成片（１１０）の前記第一の方向（Ａ）における端部（１１２）及び前記第２の水切り構成片（１２０）の前記第一の方向（Ａ）における端部と干渉しない位置に形成されていることを特徴とする折り畳み式水切り（１００）を提供する。
【００１０】
本考案に係る折り畳み式水切り（２００）は、前記第一の方向（Ａ）に延びる一対の側縁部を有する第４の水切り構成片（２４０）をさらに備えることができる。前記第４の水切り構成片（２４０）はその一方の側縁部において前記第３の水切り構成片（１３０）の他方の側縁部と１８０度折り曲げ可能に接続しており、前記第４の水切り構成片（２４０）の前記第一の方向（Ａ）における一方の端部には前記第４の水切り構成片（２４０）が形成する面と垂直方向に、かつ、前記第一の脚部（１１３）が延びる方向と同一の方向に延びる第四の脚部（２４３）が形成されている。
【００１１】
前記第一の脚部（１１３）及び前記第三の脚部（２４３）は前記第１の水切り構成片（１１０）及び前記第３の水切り構成片（１３０）に対して取り外し可能に形成することが可能である。
【００１２】
本考案に係る折り畳み式水切り（１００、２００）は、例えば、軟質の合成樹脂でつくられる。
【００１３】
本考案に係る折り畳み式水切り（１００、２００）は、例えば、形状記憶樹脂からつくることが可能である。この場合、形状記憶樹脂は、所定の条件下において、前記各水切り構成片が折り畳まれた状態になるように設定される。
【考案の効果】
【００１４】
本考案に係る折り畳み式水切りによれば、次の効果を得ることができる。
【００１５】
第一に、傾斜用の部材を使用することなく、折り畳み式水切りを傾斜状態に保持することが可能である。
【００１６】
上述の従来の折り畳み式水切りを逆Ｖ字型の状態に保持するためには、傾斜用の部材を用いることが必要であったが、本考案に係る折り畳み式水切りは、２個の脚部（第一の脚部及び第三の脚部）を有しているため、傾斜用の部材を使用することなく、折り畳み式水切りを傾斜状態に保持することが可能である（第一の脚部及び第三の脚部が形成されている側が高くなり、反対側が低くなる）。このため、例えば、本考案に係る折り畳み式水切りをシンクの底面上に置いて使用した場合にも、良好な水切り特性を発揮する。
【００１７】
第二に、床面上を不必要に移動することを防止することができる。
【００１８】
上述の従来の折り畳み式水切りは床面に対する固定機能を有していないため、そのまま床面（例えば、シンクの底面）上に置いた場合、使用している間に徐々に動いてしまうという欠点があった。
【００１９】
これに対して、本考案に係る折り畳み式水切りにおいては、２個の脚部（第一の脚部及び第三の脚部）が床面に対して摩擦力を作用させるため、２個の脚部がストッパーとして機能する。このため、本考案に係る折り畳み式水切りをそのまま床面上に置いた場合であっても、折り畳み式水切りが不必要に動いてしまうことを防止することができる。
【００２０】
第三に、本考案に係る折り畳み式水切りは小さなスペースに保管することが可能である。
【００２１】
本考案に係る折り畳み式水切りは、一の脚部が他の脚部または各水切り構成片に干渉することなく、３段に折り畳むことが可能である。このため、非使用時には、３段に折り畳んだ状態で保管スペースに収納することができるため、保管用スペースとしては小さくて足りる。
【図面の簡単な説明】
【００２２】
【図１】図１（Ａ）は本考案の第一の実施形態に係る折り畳み式水切りの平面図、図１（Ｂ）は同折り畳み式水切りの正面図である。
【図２】図２は本考案の第一の実施形態に係る折り畳み式水切りを折り畳む途中の状態を示す斜視図である。
【図３】図３は本考案の第一の実施形態に係る折り畳み式水切りの折り畳んだ状態における正面図である。
【図４】図４（Ａ）は本考案の第二の実施形態に係る折り畳み式水切りの平面図、図４（Ｂ）は同折り畳み式水切りの正面図である。
【図５】本考案の第二の実施形態に係る折り畳み式水切りの折り畳んだ状態における正面図である。
【符号の説明】
【００２３】
１００  本考案の第一の実施形態に係る折り畳み式水切り
１１０  第１の水切り構成片
１１１ａ、１１１ｂ  第１の水切り構成片の側縁部
１１３  第一の脚部
１２０  第２の水切り構成片
１２１ａ、１２１ｂ  第２の水切り構成片の側縁部
１３０  第３の水切り構成片
１３１ａ、１３１ｂ  第３の水切り構成片の側縁部
１３３  第三の脚部
１４０  接続部
１５０  結束用バンド
２００  本考案の第二の実施形態に係る折り畳み式水切り
２４０  第４の水切り構成片
２４３  第四の脚部
【考案を実施するための形態】
【００２４】
（第一の実施形態）
図１（Ａ）は本考案の第一の実施形態に係る折り畳み式水切り１００の平面図、図１（Ｂ）は同折り畳み式水切り１００の正面図である。
【００２５】
図１（Ａ）及び図１（Ｂ）に示すように、本実施形態に係る折り畳み式水切り１００は1個の第１の水切り構成片１１０、1個の第２の水切り構成片１２０及び1個の第３の水切り構成片１３０を備えている。
【００２６】
折り畳み式水切り１００は軟質の合成樹軟質、例えば、６６ナイロンまたはシリコンでつくられている。
【００２７】
第１の水切り構成片１１０、第２の水切り構成片１２０及び第３の水切り構成片１３０の各々は長方形をなしている。このため、第１の水切り構成片１１０は方向Ａ（図１（Ａ）の上下方向）に延びる一対の側縁部１１１ａ、１１１ｂを有しており、第２の水切り構成片１２０は方向Ａに延びる一対の側縁部１２１ａ、１２１ｂを有しており、第３の水切り構成片１３０は方向Ａに延びる一対の側縁部１３１ａ、１３１ｂを有している。
【００２８】
第１の水切り構成片１１０は一方の側縁部１１１ｂにおいて第２の水切り構成片１２０の一方の側縁部１２１ａと第一の回転方向Ｂ（図１（Ｂ）参照）において１８０度折り曲げ可能に接続している。
【００２９】
さらに、第２の水切り構成片１２０はその他方の側縁部１２１ｂにおいて第３の水切り構成片１３０の一方の側縁部１３１ａと第一の回転方向Ｂにおいて１８０度折り曲げ可能に接続している。
【００３０】
具体的には、図１（Ｂ）に示すように、隣接する二つの水切り構成片の間に位置する各水切り構成片の側縁部はＶ字型をなしており、これら二つのＶ字型側縁部が各水切り構成片よりも厚みのうすい接続部を介して接続されている。
【００３１】
例えば、図１（Ｂ）に示すように、相互に隣接する二つの第一の水切り構成片１１０及び第２の水切り構成片１２０の間に存在する第１の水切り構成片１１０の側縁部１１１ｂ及び第２の水切り構成片１２０の側縁部１２１ａはＶ字型に形成されており、これら二つの側縁部１１１ｂ及び側縁部１２１ａは平板状の接続部１４０を介して相互に接続されている。このため、接続部１４０が屈曲することにより、第一の水切り構成片１１０と第２の水切り構成片１２０とは第一の回転方向Ｂにおいて１８０度折り曲げ可能になっている（正確には、第一の水切り構成片１１０と第２の水切り構成片１２０とは３６０度折り曲げ可能であるが、本実施形態においては、後述するように、第一の回転方向Ｂにおいて１８０度折り曲げ可能であれば足りる）。
【００３２】
すなわち、各水切り構成片１１０、１２０、１３０はその一方の側縁部において隣接する水切り構成片の側縁部と１８０度折り曲げ可能に接続されている。
【００３３】
第１の水切り構成片１１０の方向Ａにおける一方の端部１１２には第１の水切り構成片１１０が形成する面と垂直方向（図１（Ｂ）では上方向）に延びる第一の脚部１１３が形成されている。第一の脚部１１３はほぼ直方体の形状をなしている。
【００３４】
同様に、第３の水切り構成片１３０の方向Ａにおける一方の端部１３２には第３の水切り構成片１３０が形成する面と垂直方向に、かつ、第一の脚部１１３が延びる方向と同一の方向（図１（Ｂ）の上方向）に延びる第三の脚部１３３が形成されている。
【００３５】
第一の脚部１１３と第三の脚部１３３とは同じ高さを有している。
【００３６】
方向Ａと直交する方向Ｃにおける第１の水切り構成片１１０、第２の水切り構成片１２０及び第３の水切り構成片１３０の長さ（幅）は同一である。
【００３７】
また、第１の水切り構成片１１０、第２の水切り構成片１２０及び第３の水切り構成片１３０の厚み（図１（Ｂ）の上下方向における長さ）も全て同一である。
【００３８】
方向Ａにおける第１の水切り構成片１１０の長さＬ１と方向Ａにおける第２の水切り構成片１２０の長さは同一である。
【００３９】
これに対して、図１（Ｂ）に示すように、方向Ａにおける第３の水切り構成片１３０の長さＬ３は方向Ａにおける第１の水切り構成片１１０の長さＬ１よりもΔＬだけ長く設定されている。
【００４０】
第三の脚部１３３はこのΔＬの長さの範囲内に位置するように形成されている。
【００４１】
以上のような構造を有する本実施形態に係る折り畳み式水切り１００は次のように使用される。
【００４２】
本実施形態に係る折り畳み式水切り１００は、２個の脚部１１３、１３３が下向きになるようにして、床面に置かれる。これら２個の脚部１１３、１３３により、折り畳み式水切り１００は傾斜した状態が維持される（脚部１１３、１３３が形成されている側が高く、反対側が低くなる）。
【００４３】
このため、本実施形態に係る折り畳み式水切り１００をシンクの底面上に置いた場合、折り畳み式水切り１００は傾斜状態になっているため、折り畳み式水切り１００上に溜まった水は折り畳み式水切り１００の面上を自然に流れ落ちる。すなわち、本実施形態に係る折り畳み式水切り１００は良好な水切り性能を有している。
【００４４】
また、本実施形態に係る折り畳み式水切り１００の非使用時には、折り畳み式水切り１００を折り畳んだ状態で保管することが可能である。
【００４５】
図２は本実施形態に係る折り畳み式水切り１００を折り畳む途中の状態を示す斜視図である。
【００４６】
例えば、まず、図２に示すように、第２の水切り構成片１２０を中心として（すなわち、第２の水切り構成片１２０を静止状態にして第１の水切り構成片１１０を回転させることにより）、第１の水切り構成片１１０を回転方向Ｂに折り曲げる。これにより、第１の水切り構成片１１０は第２の水切り構成片１２０の下方に重なることになる。
【００４７】
次いで、同様にして、第２の水切り構成片１２０を中心として第３の水切り構成片１３０を回転方向Ｂに折り曲げる。これにより、第３の水切り構成片１３０は第２の水切り構成片１２０の上方に重なることになる。
【００４８】
図３は本実施形態に係る折り畳み式水切り１００の折り畳んだ状態における正面図である。
【００４９】
第１の水切り構成片１１０と第２の水切り構成片１２０は同一の長さＬ１を有しているため、図３に示すように、第１の水切り構成片１１０の端部１１２と第２の水切り構成片１２０の端部とは同一面上に重なり合っている。
【００５０】
これに対して、第３の水切り構成片１３０は第１の水切り構成片１１０及び第２の水切り構成片１２０よりもΔＬだけ長く設定されているため、第３の水切り構成片１３０の端部１３２は第１の水切り構成片１１０の端部１１２及び第２の水切り構成片１２０の端部よりも出っ張って位置する（図３においては、第３の水切り構成片１３０の端部１３２は第１の水切り構成片１１０の端部１１２及び第２の水切り構成片１２０の端部よりも上方に延びている）。
【００５１】
さらに、第３の水切り構成片１３０の脚部１１３はΔＬの長さの範囲内に形成されているため、図３に示すように折り畳み式水切り１００を折り畳んだ場合でも、第３の水切り構成片１３０の脚部１１３は第１の水切り構成片１１０の端部１１２及び第２の水切り構成片１２０の端部に接触しない。すなわち、第３の水切り構成片１３０の脚部１１３は第１の水切り構成片１１０及び第２の水切り構成片１２０と接触することはない。
【００５２】
以上のように使用される本実施形態に係る折り畳み式水切り１００は次のような効果を奏する。
【００５３】
第一に、傾斜用の部材を使用することなく、折り畳み式水切り１００を傾斜状態に保持することが可能である。
【００５４】
例えば、上述の従来の折り畳み式水切りを逆Ｖ字型の状態に保持するためには、傾斜用の何らかの部材を用いることが必要であったが、本実施形態に係る折り畳み式水切り１００は、２個の脚部１１３、１３３を有しているため、そのような傾斜用の部材を使用することなく、折り畳み式水切り１００を傾斜状態に保持することが可能である。このため、本実施形態に係る折り畳み式水切り１００は良好な水切り特性を発揮する。
【００５５】
第二に、床面上を不必要に移動することを防止することができる。
【００５６】
上述の従来の折り畳み式水切りは床面（例えば、シンクの底面）に対する固定機能を有していないため、そのまま床面上に置いた場合、使用している間に徐々に動いてしまうという欠点があった。
【００５７】
これに対して、本実施形態に係る折り畳み式水切り１００においては、２個の脚部１１３、１３３が床面に対して摩擦力を作用させるため、２個の脚部１１３、１３３がストッパーとして機能する。このため、本実施形態に係る折り畳み式水切り１００をそのまま床面上に置いた場合であっても、折り畳み式水切り１００が不必要に動いてしまうことを防止することができる。
【００５８】
第三に、本実施形態に係る折り畳み式水切り１００は小さなスペースに保管することが可能である。
【００５９】
本実施形態に係る折り畳み式水切り１００は、一の脚部が他の脚部または各水切り構成片に干渉することなく、３段に折り畳むことが可能である。このため、非使用時には、３段に折り畳んだ状態で保管スペースに収納することができるため、保管用スペースとしては小さなスペースで足りる。
【００６０】
なお、本実施形態に係る折り畳み式水切り１００は上記のような構造に限定されるものではなく、種々の改変が可能である。
【００６１】
本実施形態に係る折り畳み式水切り１００においては、相互に隣接する水切り構成片は薄肉の接続部１４０を介して接続されているため、相互に折り曲げ可能に構成されているが、隣接する水切り構成片を相互に折り曲げ可能にするための構造はこれには限定されない。例えば、相互に隣接する水切り構成片をヒンジを介して接続することによっても、隣接する水切り構成片を相互に折り曲げ可能にすることができる。ヒンジを用いた場合、隣接する水切り構成片を相互に折り曲げることができる最大角度は１８０度であるが、１８０度折り曲げ可能であれば、隣接する水切り構成片の一方を他方の上に折り重ねることができる（本実施形態に係る折り畳み式水切り１００においては、隣接する水切り構成片を相互に折り曲げることができる最大角度は３６０度であるが、最大角度が３６０度である必要はない）。
【００６２】
本実施形態に係る折り畳み式水切り１００は軟質の合成樹脂でつくられているが、本実施形態に係る折り畳み式水切り１００の材質はこれには限定されない。例えば、木材、金属などの硬質材料を用いることも可能である。硬質材料を用いた場合には、各水切り構成片はヒンジを介して接続することが可能である。
【００６３】
また、二つの脚部１１３、１３３はそれぞれ第１の水切り構成片１１０及び第３の水切り構成片１３０に固定して形成する必要は必ずしもなく、第１の水切り構成片１１０及び第３の水切り構成片１３０に対して着脱自在であるように形成することも可能である。
【００６４】
例えば、二つの脚部１１３、１３３を上方からそれぞれ第１の水切り構成片１１０及び第３の水切り構成片１３０に対してネジ止めすることにより、第１の水切り構成片１１０及び第３の水切り構成片１３０に対して着脱自在であるようにすることができる。
【００６５】
本実施形態に係る折り畳み式水切り１００は１個の第２の水切り構成片１２０を有するものとして形成されているが、第２の水切り構成片１２０の個数は１には限定されない。本実施形態に係る折り畳み式水切り１００は奇数個の第２の水切り構成片１２０を有するものとして構成することが可能である。例えば、本実施形態に係る折り畳み式水切り１００が３個の第２の水切り構成片１２０を有する場合には、第１の水切り構成片１１０と第３の水切り構成片１３０との間に３個の第２の水切り構成片１２０が折り畳まれた状態になる。
【００６６】
また、図３に示すように、本実施形態に係る折り畳み式水切り１００を折り畳んだ後に、結束用バンド１５０をかけて、折り畳み式水切り１００を折り畳んだ状態に維持することができる。
【００６７】
また、結束用バンド１５０を用いることに代えて、本実施形態に係る折り畳み式水切り１００を形状記憶樹脂からつくることも可能である。本実施形態に係る折り畳み式水切り１００を形状記憶樹脂からつくる場合には、所定の条件下において、各水切り構成片１１０、１２０、１３０が折り畳まれた状態（図３に示す状態）に復帰するように形状記憶樹脂を設定しておく。
【００６８】
例えば、形状記憶樹脂が摂氏１０度以下に冷却されたときに各水切り構成片１１０、１２０、１３０が折り畳まれた状態に復帰するように形状記憶樹脂を設定しておけば、折り畳み式水切り１００を水に浸けるだけで、折り畳み式水切り１００を折り畳んだ状態に移行させることができ、折り畳み式水切り１００を折り畳む手間を省くことができる。
【００６９】
（第二の実施形態）
図４（Ａ）は本考案の第二の実施形態に係る折り畳み式水切り２００の平面図、図４（Ｂ）は折り畳み式水切り２００の正面図である。
【００７０】
本実施形態に係る折り畳み式水切り２００は第４の水切り構成片２４０を備えている点を除いて第一の実施形態に係る折り畳み式水切り１００と同一の構成を有している。このため、第一の実施形態に係る折り畳み式水切り１００と同一の構成要素に対しては同一の参照符号を用いる。
【００７１】
第４の水切り構成片２４０は第３の水切り構成片１３０と同一の構造を有している。すなわち、第４の水切り構成片２４０は第３の水切り構成片１３０と同一長さＬ３、同一幅、同一厚さを有しており、さらに、第三の脚部１３３と同一形状の第四の脚部２４３を第三の脚部１３３と同様の位置に有している。
【００７２】
さらに、第４の水切り構成片２４０は第３の水切り構成片１３０に対して折り曲げ可能であるように接続部１４０を介して第３の水切り構成片１３０と接続されている。
【００７３】
図５は本実施形態に係る折り畳み式水切り２００の折り畳んだ状態における正面図である。
【００７４】
本実施形態に係る折り畳み式水切り２００を折り畳む際には、第一の実施形態に係る折り畳み式水切り１００と同様に第１の水切り構成片１１０、第２の水切り構成片１２０及び第３の水切り構成片１３０を折り畳んだ後、第４の水切り構成片２４０を第３の水切り構成片１３０に対して回転方向Ｄ（回転方向Ｂと逆の方向）に折り畳む。これにより、本実施形態に係る折り畳み式水切り２００は、図５に示すように、第四の脚部２４３が第一の脚部１１３及び第三の脚部１３３とは反対方向に向くようにして折り畳まれる。
【００７５】
図５に示すように、本実施形態に係る折り畳み式水切り２００に対しても結束用バンド１５０を使用することができる。
【００７６】
本実施形態に係る折り畳み式水切り２００によれば、第一の実施形態に係る折り畳み式水切り１００と同様の効果を維持しつつ、折り畳み式水切り全体のサイズを大きくすることが可能である。
【図１】
0003155535.tif 000003
【図２】
0003155535.tif 000004
【図３】
0003155535.tif 000005
【図４】
0003155535.tif 000006
【図５】
0003155535.tif 000007